(57)【要約】【課題】通信性能の劣化を招くことなく、送信時のアンテナ回路の過大な電圧を防止できる通信装置と、これを備えた携帯端末を提供する。【解決手段】リーダライタとして送信を行っているとき、アンテナ回路１１３に異常に高い電圧が生じると、送信回路１１２からアンテナ回路１１３への信号の出力が停止され、これによりアンテナ回路１１３へ供給される送信電力が低減するため、アンテナ回路１１３の電圧を正常な範囲に戻すことができる。異常電圧時の動作を見込んでクランプ回路１１９の電流容量を余計に大きくせずに済むため、回路の面積の増大を抑制することができる。また、耐電圧の高い特殊な製造プロセスによって回路を形成する必要がなく、設計時間やコストを抑制できる。更に、アンテナ回路１１３の性能を落とさずに、異常電圧を抑制できる。【選択図】      図１
2006287844.tif 000002
【特許請求の範囲】
【請求項１】
アンテナ回路と、
前記アンテナ回路を介して無線通信を行う通信手段と、
前記通信手段が送信を行っているとき、前記アンテナ回路に所定のしきい値より大きい電圧および／または電流が生じると、前記通信手段から前記アンテナ回路に供給される送信電力を低減させる送信電力低減手段と
を有する通信装置。
【請求項２】
前記送信電力低減手段は、前記アンテナ回路に所定のしきい値より大きい電圧および／または電流が生じると、前記通信手段の送信を停止させる、
請求項１に記載の通信装置。
【請求項３】
前記送信電力低減手段は、前記アンテナ回路に所定のしきい値より大きい電圧および／または電流が生じると、前記通信手段が発生する送信電力を低減させる、
請求項１に記載の通信装置。
【請求項４】
前記送信電力低減手段は、前記アンテナ回路に所定のしきい値より大きい電圧および／または電流が生じると、前記アンテナ回路に生じる電圧および／または電流が小さくなるように前記通信手段の出力インピーダンスを変化させる、
請求項１に記載の通信装置。
【請求項５】
前記通信手段は、出力が互いに並列に接続され、入力される制御信号に応じて各々の出力を高インピーダンス状態に設定可能な複数の送信信号出力回路を含み、
前記送信電力低減手段は、前記アンテナ回路に所定のしきい値より大きい電圧および／または電流が生じると、前記複数の送信信号出力回路の少なくとも一部を高インピーダンス状態に設定する前記制御信号を生成する、
請求項４に記載の通信装置。
【請求項６】
前記送信電力低減手段は、前記アンテナ回路に所定のしきい値より大きい電圧および／または電流が生じると、前記アンテナ回路に生じる電圧および／または電流が小さくなるように前記アンテナ回路のインピーダンス特性を変化させる、
請求項１に記載の通信装置。
【請求項７】
前記アンテナ回路は、
アンテナコイルと、
前記アンテナコイルに並列に接続される可変キャパシタ、および／または、前記アンテナコイルに直列に接続される可変キャパシタと
を含み、
前記送信電力低減手段は、前記アンテナ回路に所定のしきい値より大きい電圧および／または電流が生じると、前記可変キャパシタの静電容量値を変化させる、
請求項６に記載の通信装置。
【請求項８】
前記可変キャパシタは、
１つまたは電気的に接続された複数のキャパシタを含むキャパシタ回路と、
前記キャパシタ回路に含まれる少なくとも１つのキャパシタと並列または直列に接続されたスイッチと
を含み、
前記送信電力低減手段は、前記アンテナ回路に所定のしきい値より大きい電圧および／または電流が生じると、前記可変キャパシタに含まれるスイッチのオンとオフを制御する、
請求項７に記載の通信装置。
【請求項９】
前記アンテナ回路は、
アンテナコイルと、
前記アンテナコイルに並列に接続されるキャパシタ、および／または、前記アンテナコイルに直列に接続されるキャパシタと、
前記アンテナコイルもしくは前記キャパシタと並列もしくは直列に接続される可変抵抗と
を含み、
前記送信電力低減手段は、前記アンテナ回路に所定のしきい値より大きい電圧および／または電流が生じると、前記可変抵抗の抵抗値を変化させる、
請求項６に記載の通信装置。
【請求項１０】
前記可変抵抗は、
１つまたは電気的に接続された複数の抵抗を含む抵抗回路と、
前記抵抗回路に含まれる少なくとも１つ抵抗と並列または直列に接続されたスイッチと
を含み、
前記送信電力低減手段は、前記アンテナ回路に所定のしきい値より大きい電圧および／または電流が生じると、前記可変抵抗に含まれるスイッチのオンとオフを制御する、
請求項９に記載の通信装置。
【請求項１１】
前記送信電力低減手段は、前記アンテナ回路に所定のしきい値より大きい電圧および／または電流が生じると、前記アンテナ回路に生じる電圧および／または電流が小さくなるように前記通信手段から前記アンテナ回路へ送信電力を伝送する経路のインピーダンスを変化させる、
請求項１に記載の通信装置。
【請求項１２】
前記通信手段から前記アンテナ回路へ送信電力を伝送する経路に設けられた可変抵抗を有し、
前記送信電力低減手段は、前記アンテナ回路に所定のしきい値より大きい電圧および／または電流が生じると、前記可変抵抗の抵抗値を変化させる、
請求項１１に記載の通信装置。
【請求項１３】
前記可変抵抗は、
１つまたは電気的に接続された複数の抵抗を含む抵抗回路と、
前記抵抗回路に含まれる少なくとも１つの抵抗と並列または直列に接続されたスイッチと
を含み、
前記送信電力低減手段は、前記アンテナ回路に所定のしきい値より大きい電圧および／または電流が生じると、前記可変抵抗に含まれるスイッチのオンとオフを制御する、
請求項１２に記載の通信装置。
【請求項１４】
無線通信によって情報の読み取りと書き込みが可能な記録媒体として動作する第１の動作モードと、無線通信によって外部の前記録媒体にアクセスする読み取り書き込み装置として動作する第２の動作モードとを有する携帯端末であって、
アンテナ回路と、
前記第１の動作モードおよび前記第２の動作モードにおいて、前記アンテナ回路を介して無線通信を行う通信手段と、
前記第２の動作モードにおいて前記通信手段が送信を行っているとき、前記アンテナ回路に所定のしきい値より大きい電圧および／または電流が生じると、前記通信手段から前記アンテナ回路に供給される送信電力を低減させる送信電力低減手段と
を有する携帯端末。
【発明の詳細な説明】
【技術分野】
【０００１】
本発明は通信装置および携帯端末に係り、特に、非接触ＩＣカードの機能とその読み取り・書き込み装置の機能を搭載した通信装置および携帯端末に関するものである。
【背景技術】
【０００２】
非接触ＩＣカードは、その情報の読み取りや書き込みを行う装置（以降、リーダライタと表記する）との間で無線通信により簡単に情報のやり取りを行うことが可能であるとともに、磁気カードに比べて記憶容量が大きく、また、格納した情報の不正な読み出しや改竄に対する耐性が高いなど、数々の優れた特徴を有している。そのため、近年では、例えば金融機関のクレジットカードや、電子マネーの格納用カード、交通機関の定期券などの用途で、広く一般に利用されている。
【０００３】
一方、携帯電話機に代表されるような、個人が持ち歩いて使用できる携帯端末の普及率が非常に高くなっている。そのため、上述した非接触ＩＣカードやリーダライタの機能を携帯端末に内蔵させて利用することへの要望が強くなっている。
非接触ＩＣカードの機能を内蔵した携帯電話機に関する従来技術としては、例えば下記の特許文献１がある。
【特許文献１】特開２００３−３６４２７号公報
【発明の開示】
【発明が解決しようとする課題】
【０００４】
リーダライタは、これまで専用の装置として固定の場所に設置されることが一般的であったため、異なるリーダライタの送信出力同士が衝突することは殆んど無かった。ところが、携帯電話機に非接触ＩＣカード機能とリーダライタ機能の両方が搭載されると、携帯電話機をリーダライタとして動作させながら、外部のリーダライタが発生する磁界の中に携帯電話機をかざしてしまうことが起こり得る。この場合、リーダライタのアンテナ回路には、自らの送信出力に加えて他方のリーダライタからの送信出力が加わるため、アンテナ回路に数十ボルトを超える異常な電圧が発生する可能性がある。リーダライタ用の回路が例えばＣＭＯＳ等の一般的な製造プロセスの集積回路に形成されている場合、このような高電圧が入力されると、回路素子の劣化や消費電力の増大を招いてしまう。
【０００５】
例えば非接触ＩＣカードでは、リーダライタが発する磁界によってアンテナ回路の電圧が高くなり過ぎないように、ツェナダイオードなどを用いたクランプ回路によってアンテナ回路の電圧を制限することがある。
ところが、上述のような異常な高電圧をクランプ回路によって制限しようとすると、非接触ＩＣカードで想定されているより大きな電流をクランプ回路に流さなくてはならない。そのため、クランプ回路に用いる回路素子を大電流に耐えるように設計しなくてはならず、回路面積が増大してしまうという不利益がある。
【０００６】
また、耐電圧の高い特殊な製造プロセスによってリーダライタ用の回路を形成することも可能であるが、設計時間やコストの面で不利益が大きい。
【０００７】
また、アンテナ回路に用いるコイルのインダクタンスを小さくしたり、アンテナ回路の共振周波数を最適な値から外したり、アンテナ回路とリーダライタの出力との間に抵抗を挿入して送信電力を下げたりするといった、アンテナの性能を落とす方法によって異常電圧を抑制することも可能である。しかしながら、この方法では通常の使用状態における通信性能を劣化させてしまうという不利益が生じる。
【０００８】
本発明はかかる事情に鑑みてなされたものであり、その目的は、通信性能の劣化を招くことなく、送信時のアンテナ回路の過大な電圧を防止できる通信装置と、これを備えた携帯端末を提供することにある。
【課題を解決するための手段】
【０００９】
本発明の第１の観点に係る通信装置は、アンテナ回路と、前記アンテナ回路を介して無線通信を行う通信手段と、前記通信手段が送信を行っているとき、前記アンテナ回路に所定のしきい値より大きい電圧および／または電流が生じると、前記通信手段から前記アンテナ回路に供給される送信電力を低減させる送信電力低減手段とを有する。
【００１０】
本発明の第２の観点は、無線通信によって情報の読み取りと書き込みが可能な記録媒体として動作する第１の動作モードと、無線通信によって外部の前記録媒体にアクセスする読み取り書き込み装置として動作する第２の動作モードとを有する携帯端末に関するものであり、この携帯端末は、前記第１の観点に係る通信装置を有する。
【００１１】
本発明によると、前記通信手段が送信を行っているときに、前記アンテナ回路に所定のしきい値より大きい電圧および／または電流が生じると、前記通信手段から前記アンテナ回路に供給される送信電力が低減する。これにより、前記アンテナ回路に生じる電圧や電流が小さくなる。
【００１２】
前記送信電力低減手段は、前記アンテナ回路に所定のしきい値より大きい電圧および／または電流が生じると、前記通信手段の送信を停止させても良い。
【００１３】
また、前記送信電力低減手段は、前記アンテナ回路に所定のしきい値より大きい電圧および／または電流が生じると、前記通信手段が発生する送信電力を低減させても良い。
【００１４】
また、前記送信電力低減手段は、前記アンテナ回路に所定のしきい値より大きい電圧および／または電流が生じると、前記アンテナ回路に生じる電圧および／または電流が小さくなるように前記通信手段の出力インピーダンスを変化させても良い。
【００１５】
また、前記送信電力低減手段は、前記アンテナ回路に所定のしきい値より大きい電圧および／または電流が生じると、前記アンテナ回路に生じる電圧および／または電流が小さくなるように前記アンテナ回路のインピーダンス特性を変化させても良い。
【００１６】
また、前記送信電力低減手段は、前記アンテナ回路に所定のしきい値より大きい電圧および／または電流が生じると、前記アンテナ回路に生じる電圧および／または電流が小さくなるように前記通信手段から前記アンテナ回路へ送信電力を伝送する経路のインピーダンスを変化させても良い。
【発明の効果】
【００１７】
本発明によれば、通信手段が送信を行っているとき、アンテナ回路に所定のしきい値より大きい電圧や電流が生じると、通信手段からアンテナ回路へ供給される送信電力が低減するため、通常の使用状態における通信性能を劣化させることなく、送信時のアンテナ回路の過大な電圧や電流を防止することができる。
【発明を実施するための最良の形態】
【００１８】
以下、本発明の５つの実施形態について、図面を参照して説明する。
【００１９】
＜第１の実施形態＞
図１は、本発明の実施形態に係る携帯端末１０に搭載された非接触ＩＣカードにデータを読み書きするシステムの一例を図解した図である。
図１に示すシステムは、携帯端末１０と、外部リーダライタ２０と、通信網３０と、サーバ４０とを有する。
【００２０】
携帯端末１０に搭載される非接触ＩＣカードには、例えば電車の前払い運賃や定期乗車券、クレジットカード、電子マネー、商品の購入ポイントなどの情報が格納されている。
携帯端末１０の非接触ＩＣカードは、外部リーダライタ２０からの電波を検出すると、外部リーダライタ２０との間で無線通信を行ってコネクションを確立させ、次いで、外部リーダライタ２０および通信網３０を経由してサーバ４０に接続し、必要な認証処理を行う。非接触ＩＣカードとサーバ４０との間で相互の認証に成功すると、非接触ＩＣカードに格納される情報をサーバ４０に読み出す処理や、携帯端末１０の非接触ＩＣカードに格納される情報をサーバ４０の指示に従って書き換える処理が行われる。例えば商店の精算カウンタに本システムが用いられる場合、非接触ＩＣカードから電子マネーの残高を読み出して、購入した商品の金額を差し引いた残高に書き換える処理などを行う。
【００２１】
図２は、本発明の実施形態に係る携帯端末１０に搭載されたリーダライタを用いて、携帯端末１０の外部の非接触ＩＣカードに対する情報の読み取りや書き込みを行うシステムの一例を図解した図である。
図２に示すシステムは、携帯端末１０と、外部の非接触ＩＣカード５０と、基地局６０と、通信網７０と、サーバ８０とを有する。
【００２２】
携帯端末１０のリーダライタは、外部の非接触ＩＣカード５０からの応答を受信すると、この非接触ＩＣカード５０との間で無線通信を行って、コネクションを確立させる。非接触ＩＣカード５０とのコネクションが確立すると、携帯端末１０は、携帯電話網の基地局６０から通信網７０を経由してサーバ８０に接続し、非接触ＩＣカード５０とサーバ８０との通信を中継する。両者の相互認証が成功すると、携帯端末１０のリーダライタは、サーバ８０からの指示に従って、非接触ＩＣカード５０に格納される情報を読み出す処理や、非接触ＩＣカード５０に新たな情報を書き込む処理を行う。
【００２３】
図３は、携帯端末１０において非接触ＩＣカード機能とリーダライタ機能を司るＩＣカード／リーダライタ部１００の構成の一例を示す図である。
図３に例示するＩＣカード／リーダライタ部１００は、送受信部１０１と、信号処理部１０２と、制御部１０３と、暗号処理部１０４と、誤り検出・訂正処理部１０５と、ＲＡＭ１０６と、ＲＯＭ１０７と、ＥＥＰＲＯＭ１０８と、キャリア信号生成部１０９と、インターフェース部１１０とを有する。
【００２４】
送受信部１０１は、非接触ＩＣカードまたはリーダライタとして動作する場合において無線信号の送信や受信を行う。送受信部１０１の詳細な構成については、後ほど図４を参照して説明する。
【００２５】
信号処理部１０２は、送受信部１０１に供給する送信用の信号を生成するため、送信用のデータに対して符号化等の処理を行う。また、送受信部１０１において受信された信号に復号化等の処理を施して、元の信号を再生する。
【００２６】
制御部１０３は、ＩＣカード／リーダライタ部１００の全体的な処理を制御する。すなわち、信号処理部１０２における送受信信号の符号化や復号化処理、ＥＥＰＲＯＭ１０８に対する情報の書き込みや読み出し、暗号処理部１０４における情報の暗号化や復号化、誤り検出・訂正処理部１０５における誤り検出・訂正処理、インターフェース部１１０における携帯端末１０の図示しない主制御部との通信処理など、各ユニットの動作が所定の手順で適切に行われるように、内部バスＢＳを介してこれらのユニットを制御する。
【００２７】
例えば制御部１０３は、非接触ＩＣカードとして動作するモード（第１の動作モード）とリーダライタとして動作するモード（第２の動作モード）とを切り換える後述の制御信号ＲＷ（図５，図７）を生成して、送受信部１０１を制御する。
制御部１０３は、例えばＲＯＭ１０７に格納されるプログラムに従って処理を実行するコンピュータを有する。
【００２８】
暗号処理部１０４は、例えばＤＥＳ（data encryption standard）などの暗号方式に従って、ＥＥＰＲＯＭ１０８に格納する情報の暗号化や復号化を行う。
【００２９】
誤り検出・訂正処理部１０５は、例えばＣＲＣ（cyclic redundancy check）などによって、送受信部１０１における受信信号の誤り検出や訂正を行う。
【００３０】
ＲＡＭ１０６は、制御部１０３の処理に利用される一時的なデータや、ＲＯＭ１０７からロードされる制御部１０３のコンピュータプログラムなどを記憶する。また、送受信データを一時的に保持するバッファとしても機能する。
【００３１】
ＲＯＭ１０７は、制御部１０３のコンピュータプログラムや、その処理の過程で用いられる定数データなどを記憶する。
【００３２】
ＥＥＰＲＯＭ１０８は、非接触ＩＣカードとして機能する際の種々の情報（例えば前払い運賃や電子マネーなどの情報）を記憶する。ＥＥＰＲＯＭ１０８は、電源のオン・オフに関わらず記憶情報を保持する。
【００３３】
キャリア信号生成部１０９は、図示しない水晶発振器などから供給される基準信号に基づいて、所定周波数のキャリア信号を生成する。送受信部１０１、信号処理部１０２、制御部１０３、暗号処理部１０４、誤り検出・訂正処理部１０５、インターフェース部１１０は、このキャリア信号に同期してそれぞれの処理を行う。
【００３４】
インターフェース部１１０は、例えばＵＡＲＴ（universal asynchronous receiver transmitter）などの通信規格に従って、携帯端末１０内部の図示しない主制御部と通信を行い、制御部１０３に対する主制御部からの命令や主制御部に対する制御部１０３の応答を伝送する。
【００３５】
図４は、本実施形態に係る送受信部１０１の構成の一例を示す図である。
図４に示す送受信部１０１は、受信回路１１１と、送信回路１１２と、アンテナ回路１１３と、異常判定回路１１４とを有する。
アンテナ回路１１３は、本発明のアンテナ回路の一実施形態である。
送信回路１１２を含む回路ブロックは、本発明の通信手段の一実施形態である。
異常判定回路１１４を含む回路ブロックは、本発明の送信電力低減手段の一実施形態である。
【００３６】
受信回路１１１は、非接触ＩＣカードとして動作する場合やリーダライタとして動作する場合に、通信相手から送信される信号の受信を行う。
【００３７】
図４の例において、受信回路１１１は、整流回路１１５と、クロック抽出回路１１７と、復調回路１１８と、クランプ回路１１９と、返信回路１２０とを有する。
【００３８】
整流回路１１５は、アンテナ回路１１３の受信信号を整流し、基準電位ＶＳＳに対して正の電圧を有する信号成分を出力する。
図４の例において整流回路１１５はダイオード１１６を有している。ダイオード１１６は、基準電位にアノードが接続され、アンテナ回路１１３の後述するノードＮ１にカソードが接続されている。
【００３９】
クロック抽出回路１１７は、整流回路１１５において整流された受信信号に含まれるキャリア成分に基づいて、クロック信号を再生する。
【００４０】
復調回路１１８は、リーダライタ回路や非接触ＩＣカードにおいて振幅変調されたキャリア信号を復調し、ベースバンド信号を再生する。
【００４１】
クランプ回路１１９は、例えばツェナダイオードなどを用いて、整流回路１１５の整流電圧が所定の上限値を超えないようにクランプする。
【００４２】
返信回路１２０は、非接触ＩＣカードとして動作する場合に、外部のリーダライタに対して返信を行うための回路である。例えば、外部のリーダライタからキャリア信号を受信しているときに、リーダライタへ返信する信号に応じて整流回路１１５の負荷を変調する。
【００４３】
送信回路１１２は、リーダライタとして動作する場合に、通信相手の非接触ＩＣカードに対して振幅変調されたキャリア信号を送信する。
【００４４】
図５は、送信回路１１２の構成の一例を示す図である。
図５に示す送信回路１１２は、インバータ回路１２７〜１３０と、３入力のＮＡＮＤ回路１３１，１３２とを有する。
【００４５】
ＮＡＮＤ回路１３２は、キャリア信号生成部１０９から出力されるキャリア信号、リーダライタ動作と非接触ＩＣ動作とを切り換える制御信号ＲＷ、および、後述する異常判定回路１１４の判定結果を示す判定信号Ｓ１を入力し、これらの反転論理積を出力する。
【００４６】
ＮＡＮＤ回路１３１は、ＮＡＮＤ回路１３２の出力信号、制御信号ＲＷおよび判定信号Ｓ１を入力し、これらの反転論理積を出力する。
【００４７】
インバータ回路１２７および１２８は、ＮＡＮＤ回路１３１の出力信号を論理反転して端子Ｏ１に出力する。
インバータ回路１２９および１３０は、ＮＡＮＤ回路１３２の出力信号を論理反転して端子Ｏ２に出力する。
なお、インバータ回路１２８および１３０は、信号処理部１０２から供給される送信信号に応じて、通常の論理反転動作を行うか、または出力を高インピーダンス状態にする。
【００４８】
制御信号ＲＷは、信号処理部１０２において生成される信号であり、非接触ＩＣカードとして動作する第１の動作モードにおいてローレベル、リーダライタとして動作する第２の動作モードにおいてハイレベルになる。
判定信号Ｓ１は、異常判定回路１１４の判定結果を示す信号であり、アンテナ回路１１３に異常な高電圧が生じる場合にローレベルとなり、通常の状態ではハイレベルになる。
【００４９】
リーダライタとして動作し、かつアンテナ回路１１３の電圧が正常な範囲にある場合、制御信号ＲＷおよび判定信号Ｓ１は共にハイレベルになる。この場合、ＮＡＮＤ回路１３１および１３２はインバータ回路と等価になり、端子Ｏ１からはキャリア信号と逆相の信号が出力され、端子Ｏ２からはキャリア信号と同相の信号が出力される。そのため、送信回路１１２の端子Ｏ１−Ｏ２からアンテナ回路１１３に流れる電流は、キャリア信号と同一の周波数を有する交流信号になる。
【００５０】
アンテナ回路１１３に流れる電流の振幅は、信号処理部１０２から出力される送信信号に応じて変調される。すなわち、インバータ回路１２８および１３０が通常の論理反転動作を行う場合、端子Ｏ１−Ｏ２から見た送信回路１１２の出力インピーダンスが小さくなるため電流の振幅は大きくなり、インバータ回路１２８および１３０の出力が高インピーダンス状態になる場合、この出力インピーダンスが大きくなるため電流の振幅は小さくなる。
【００５１】
他方、非接触ＩＣカードとして動作する場合やアンテナ回路１１３の電圧が異常な場合、制御信号ＲＷおよび判定信号Ｓ１の一方もしくは両方がローレベルになる。この場合、ＮＡＮＤ回路１３１および１３２の出力は共にハイレベルになるため、端子Ｏ１およびＯ２は共にローレベルになり、送信回路１１２からアンテナ回路１１３への信号の出力が停止される。
【００５２】
図４の説明に戻る。
アンテナ回路１１３は、非接触ＩＣカードやリーダライタとして無線通信を行う場合に、通信相手との間で電波の送受信を行う。
【００５３】
図４の例において、アンテナ回路１１３は、アンテナコイル１２１と、キャパシタ１２２，１２３とを有する。
アンテナコイル１２１は、キャパシタ１２２と並列に接続されており、この並列回路がキャパシタ１２３を介して送信回路の端子Ｏ１−Ｏ２の間に接続される。
また、アンテナコイル１２１およびキャパシタ１２２の２つの接続ノードＮ１，Ｎ２のうち、接続ノードＮ１は受信回路１１１の整流回路１１５に接続される。
【００５４】
異常判定回路１１４は、アンテナ回路１１３に所定のしきい値より大きい電圧が生じているか判定し、この判定結果を判定信号Ｓ１として出力する。異常判定回路１１４は、アンテナ回路１１３に所定のしきい値より大きい異常な電圧が生じている場合に判定信号Ｓ１をローレベルに設定し、アンテナ回路１１３の電圧が所定のしきい値より小さい場合には判定信号Ｓ１をハイレベルに設定する。
【００５５】
図６は、異常判定回路１１４の構成の一例を示す図である。
図６に示す異常判定回路１１４は、アンテナ回路１１３のノードＮ１と基準電位ＶＳＳとの間に接続される抵抗１２４および１２５の直列回路と、この抵抗１２４および１２５の接続中点に生じる電圧と所定のしきい値とを比較する比較回路１２６とを有する。
比較回路１２６は、抵抗１２４および１２５の接続中点の電圧が所定のしきい値より小さい場合にハイレベル、所定のしきい値より大きい場合にローレベルの判定信号Ｓ１を出力する。
【００５６】
ここで、上述した構成を有する本実施形態に係る携帯端末の動作について、本発明に関連する非接触ＩＣカードおよびリーダライタの機能を中心に説明する。
【００５７】
携帯端末が非接触ＩＣカードとして動作する場合、制御部１０３は制御信号ＲＷをローレベルに設定し、送信回路１１２からの信号出力を停止させる。
制御信号ＲＷがローレベルになると、送信回路１１２の端子Ｏ１，Ｏ２が共にローレベル（基準電位ＶＳＳ）になり、アンテナ回路１１３のキャパシタＣ１２３はキャパシタＣ１２２と並列に接続された状態になる。
【００５８】
この状態で、外部のリーダライタからの電磁波がアンテナ回路１１３において受信されると、その受信信号は整流回路１１５において整流され、クロック抽出回路１１７および復調回路１１８に入力される。クロック抽出回路１１７は、整流された受信信号からキャリア信号の成分をクロック信号として抽出する。また復調回路１１８は、整流された受信信号を復調し、キャリア信号に重畳されているベースバンド信号を再生する。
信号処理部１０２は、復調回路１１８において復調された信号に対し更に復号化等の信号処理を行い、外部のリーダライタの送信信号を再生する。制御部１０３は、信号処理部１０２において再生された信号に応じて、所定の通信手順に従った返信信号を外部リーダライタへ返すように、信号処理部１０２を制御する。制御部１０３の制御に従って信号処理部１０２が返信信号を生成すると、返信回路１２０はその返信信号に応じて整流回路１１５の出力側の負荷を変調する。この負荷変調により、非接触ＩＣカードとして動作する携帯端末から外部のリーダライタへ返信信号が伝送される。
【００５９】
他方、携帯端末がリーダライタとして動作する場合、制御部１０３は制御信号ＲＷをハイレベルに設定する。また、制御部１０３は、所定の通信手順に従って外部の非接触ＩＣカードに信号を送信するように、信号処理部１０２を制御する。制御部１０３の制御に従って信号処理部１０２が送信信号を生成すると、送信回路１１２は、その送信信号に応じた振幅変調信号を発生し、アンテナ回路１１３を駆動する。これにより、振幅変調信号が電磁波としてアンテナ回路１１３から送出されて、外部の非接触ＩＣカードに伝送される。
外部の非接触ＩＣカードへ振幅変調信号を送信した後、制御部１０３はキャリア信号の振幅変調を停止して、外部の非接触ＩＣカードからの返信信号を待つ。外部の非接触ＩＣカードの負荷変調によってキャリア信号の振幅が変調されると、復調回路１１８はこれを復調して返信信号を再生する。
【００６０】
携帯端末がリーダライタとして送信を行っているとき、外部のリーダライタが発生する磁界に携帯端末が近づけられると、送信回路１１２からの送信信号と外部のリーダライタからの送信信号とがアンテナ回路１１３に両方加わるため、ノードＮ１−Ｎ２間の交流電圧の振幅が異常に大きくなる。
ノードＮ１−Ｎ２間の異常な電圧に応じて、整流回路１１５の出力電圧の振幅が所定のしきい値より大きくなると、異常判定回路１１４の判定信号Ｓ１がハイレベルからローレベルに変化する。
【００６１】
判定信号Ｓ１がローレベルになると、送信回路１１２は端子Ｏ１，Ｏ２を共にローレベルに固定し、アンテナ回路１１３への信号の出力を停止する。これにより、アンテナ回路１１３に発生する交流電圧は外部のリーダライタの送信信号によるものだけになるため、正常な範囲に戻る。
【００６２】
以上説明したように、本実施形態によれば、リーダライタとして送信を行っているとき、アンテナ回路１１３に異常に高い電圧が生じると、送信回路１１２からアンテナ回路１１３への信号の出力が停止され、これによりアンテナ回路１１３へ供給される送信電力が低減するため、アンテナ回路１１３の電圧を正常な範囲に戻すことができる。
すなわち、リーダライタとして送信を行っているときにアンテナ回路１１３に異常に高い電圧が生じても、それをクランプ回路１１９によって制限するのではなく、送信回路１１２の出力を停止させることによって正常な範囲に戻すため、クランプ回路１１９は異常な高電圧においてクランプ動作を行わずに済む。したがって、異常電圧時の動作を見込んでクランプ回路１１９の電流容量を余計に大きくしなくて良いため、回路の面積の増大を抑制することができる。
また、耐電圧の高い特殊な製造プロセスによってリーダライタ用の回路を形成する必要がないため、設計時間やコストを抑制できる。
更に、異常電圧を抑制するためにアンテナ回路１１３の共振周波数を最適値から外したりクオリティ・ファクタを下げるなど、アンテナ回路１１３の性能を劣化させる方法に比べて、通常の使用状態における通信性能を良好に保つことができる。
しかも、アンテナ回路１１３から送出される電磁波を弱めることができるため、外部のリーダライタにおける同様な異常電圧も抑制できる。
【００６３】
＜第２の実施形態＞
次に、本発明の第２の実施形態について説明する。
第１の実施形態に係る携帯端末では、送信回路の送信を停止させることによってアンテナ回路の異常電圧を抑制するが、本実施形態に係る携帯端末では、送信回路の出力インピーダンスを変化させることによってアンテナ回路に供給される送信電力を低減し、アンテナ回路の異常電圧を抑制する。
【００６４】
本実施形態に係る携帯端末は、図５に示す送信回路１１２を図７に示す送信回路１１２Ａに置き換えたものである。他の構成については第１の実施形態と同様であるため、説明を割愛する。
【００６５】
図７に示す送信回路１１２Ａは、インバータ回路１２７Ａ，１２８Ａ，１２９Ａ，１３０Ａと、２入力のＮＡＮＤ回路１３３，１３４と、２入力のＡＮＤ回路１３５とを有する。
インバータ回路１２７Ａ，１２８Ａ，１２９Ａ，１３０Ａは、本発明の送信信号出力回路の一実施形態である。
【００６６】
ＮＡＮＤ回路１３４は、キャリア信号生成部１０９から出力されるキャリア信号と制御信号ＲＷとを入力し、これらの反転論理積を出力する。
【００６７】
ＮＡＮＤ回路１３３は、ＮＡＮＤ回路１３２の出力信号と制御信号ＲＷとを入力し、これらの反転論理積を出力する。
【００６８】
インバータ回路１２７Ａおよび１２８Ａは、ＮＡＮＤ回路１３３の出力信号を論理反転して端子Ｏ１に出力する。
インバータ回路１２９Ａおよび１３０Ａは、ＮＡＮＤ回路１３４の出力信号を論理反転して端子Ｏ２に出力する。
なお、インバータ回路１２８Ａおよび１３０Ａは、ＡＮＤ回路１３５の出力信号がハイレベルの場合に通常の論理反転動作を行い、この出力信号がローレベルの場合に出力を高インピーダンス状態にする。
また、インバータ回路１２７Ａおよび１２９Ａは、異常判定回路１１４の判定信号Ｓ１がハイレベルの場合に通常の論理反転動作を行い、判定信号Ｓ１がローレベルの場合に出力を高インピーダンス状態にする。
【００６９】
ＡＮＤ回路１３５は、信号処理部１０２から供給される送信信号と判定信号Ｓ１と入力し、これらの論理積を出力する。
【００７０】
リーダライタとして動作し、かつアンテナ回路１１３の電圧が正常な場合、制御信号ＲＷおよび判定信号Ｓ１は共にハイレベルになる。この場合は、先に述べた送信回路１１２と同様に、送信回路１１２Ａの端子Ｏ１−Ｏ２からアンテナ回路１１３へキャリア信号と同一周波数の交流電流が流れる。また、この交流電流の振幅は、信号処理部１０２から供給される送信信号に応じて変調される。
他方、非接触ＩＣカードとして動作し、かつアンテナ回路１１３の電圧が正常な場合、制御信号ＲＷがローレベルになり、判定信号Ｓ１がハイレベルになる。この場合は、先に述べた送信回路１１２と同様に、端子Ｏ１およびＯ２が共にローレベルになって、送信回路１１２からアンテナ回路１１３への信号出力が停止される。
【００７１】
リーダライタとして送信を行っているとき、アンテナ回路１１３に異常な高電圧が発生して判定信号Ｓ１がローレベルになると、インバータ回路１２７Ａおよび１２９Ａの出力は高インピーダンス状態になる。また、ＡＮＤ回路１３５の出力信号がローレベルになるため、インバータ回路１２８Ａおよび１３０Ａの出力も高インピーダンス状態になる。
その結果、送信回路１１２Ａの出力は高インピーダンス状態となり、送信回路１１２Ａからアンテナ回路１１３への送信電力はほぼゼロになる。これにより、アンテナ回路１１３の異常な電圧が抑制され、正常な範囲に戻る。
【００７２】
以上説明したように、本実施形態によれば、リーダライタとして送信を行っているとき、アンテナ回路１１３に異常に高い電圧が生じると、送信回路１１２の出力インピーダンスが増大することによってアンテナ回路１１３へ供給される送信電力が低減するため、アンテナ回路１１３の電圧を正常な範囲に戻すことができる。
従って、本実施形態においても、クランプ回路１１９を異常な高電圧で動作させずに済むため、回路の面積の増大を抑制することができる。
耐電圧の高い特殊な製造プロセスによってリーダライタ用の回路を形成する必要がないため、設計時間やコストを抑制できる。
また、異常電圧を抑制するためにアンテナ回路１１３の性能を劣化させる方法に比べて、通常の使用状態における通信性能を良好に保つことができる。
【００７３】
＜第３の実施形態＞
次に、本発明の第３の実施形態について説明する。本実施形態に係る携帯端末では、送信回路が発生する電力を低減させることによって、アンテナ回路の異常電圧を抑制する。
【００７４】
本実施形態に係る携帯端末は、図４に示す送受信部１０１を図８に示す送受信部１０１Ｂに置き換えたものであり、他の構成については第１の実施形態と同様である。
【００７５】
図８に示す送受信部１０１Ｂは、受信回路１１１と、アンテナ回路１１３と、送信回路１１２Ｂと、異常判定回路１１４と、電源電圧制御部１３６とを有する。
このうち、受信回路１１１、アンテナ回路１１３、異常判定回路１１４については、図４における同一符号の構成要素と同じであるため、ここでは送信回路１１２Ｂと電源電圧制御部１３６についてのみ説明する。
【００７６】
送信回路１１２Ｂは、図５に示す送信回路１１２において、ＮＡＮＤ回路１３１，１３２に入力される判定信号Ｓ１をハイレベルに固定したものである。これは、送信回路１１２における３入力のＮＡＮＤ回路１３１，１３２を、判定信号Ｓ１の入力が削除された２入力のＮＡＮＤ回路に置き換えたものに等しい。
すなわち、送信回路１１２Ｂは、判定信号Ｓ１に応じて出力を停止する送信回路１１２の機能を削除したものである。
【００７７】
電源電圧制御部１３６は、異常判定回路１１４の判定信号Ｓ１に応じて、送信回路１１２Ｂに供給する電源電圧を制御する。
すなわち、異常判定回路１１４において電圧の異常が判定されていない場合（判定信号Ｓ１がハイレベルの場合）、電源電圧制御部１３６は送信回路１１２Ｂに電源電圧ＶＤＤを供給する。一方、異常判定回路１１４において電圧の異常が判定された場合（判定信号Ｓ１がローレベルの場合）、電源電圧制御部１３６は送信回路１１２Ｂに電源電圧ＶＤＤより低い電圧を供給する、もしくは、送信回路１１２Ｂへの電源供給を遮断する。
【００７８】
本実施形態によれば、リーダライタとして送信を行っているとき、アンテナ回路１１３に異常に高い電圧が生じると、送信回路１１２Ｂに供給する電源電圧が低下する、もしくは、送信回路１１２Ｂへの電源供給が遮断される。これにより、送信回路１１２Ｂにおいて発生する送信電力が低減し、アンテナ回路１１３へ供給される送信電力が低減するため、アンテナ回路１１３の電圧を正常な範囲に戻すことができる。
従って、本実施形態においても、クランプ回路１１９を異常な高電圧で動作させずに済むため、回路面積の増大を抑制することができる。
耐電圧の高い特殊な製造プロセスによってリーダライタ用の回路を形成する必要がないため、設計時間やコストを抑制できる。
また、異常電圧を抑制するためにアンテナ回路１１３の性能を劣化させる方法に比べて、通常の使用状態における通信性能を良好に保つことができる。
【００７９】
＜第４の実施形態＞
次に、本発明の第４の実施形態について説明する。本実施形態に係る携帯端末では、アンテナ回路に生じる電圧が小さくなるようにアンテナ回路のインピーダンス特性を変化させることによって、アンテナ回路の異常電圧を抑制する。
【００８０】
図９は、本実施形態に係る携帯端末における送受信部の第１の構成例を示す図である。本実施形態に係る携帯端末の送受信部以外の構成については、第１の実施形態と同じである。
【００８１】
図９に示す送受信部１０１Ｃは、受信回路１１１と、アンテナ回路１１３Ｃと、送信回路１１２Ｂと、異常判定回路１１４とを有する。
このうち、受信回路１１１、送信回路１１２Ｂ、異常判定回路１１４については、図４，図８における同一符号の構成要素と同じであるため、ここではアンテナ回路１１３Ｃについてのみ説明する。
【００８２】
アンテナ回路１１３Ｃは、アンテナ回路１１３と同じ構成（アンテナコイル１２１、キャパシタ１２２，１２３）に加えて、キャパシタ１３７とスイッチ１３８を有する。
キャパシタ１２２，１３７およびスイッチ１３８を含む回路ブロックは、本発明の可変キャパシタの一実施形態である。
【００８３】
キャパシタ１３７およびスイッチ１３８は直列に接続されており、この直列回路がキャパシタ１２２と並列に接続される。
【００８４】
スイッチ１３８は、判定信号Ｓ１に応じてオン・オフする。例えば判定信号Ｓ１がハイレベルのときにオフし、ローレベルのときにオンする。
【００８５】
図９に示す送受信部１０１Ｃによれば、異常判定回路１１４の判定結果に応じてアンテナ回路１１３Ｃの共振周波数が変化する。
例えば、スイッチ１３８がオフのときにアンテナ回路１１３Ｃの共振周波数が最適な値となるようにアンテナコイル１２１、キャパシタ１２２，１２３の素子値が設定されているものとする。この場合、異常判定回路１１４においてアンテナ回路１１３Ｃの電圧が異常に高いと判定されてスイッチ１３８がオンすると、キャパシタＣ１２２にキャパシタＣ１３７が並列接続されるため、共振周波数が最適値から外れて、アンテナ回路１１３Ｃに発生する交流電圧の振幅が小さくなる。
【００８６】
図１０は、本実施形態に係る携帯端末における送受信部の第２の構成例を示す図である。
図１０に示す送受信部１０１Ｄは、図９に示す送受信部１０１Ｃにおけるアンテナ回路１１３Ｃをアンテナ回路１１３Ｄに置き換えたものであり、他の構成については送受信部１０１Ｃと同じである。
【００８７】
アンテナ回路１１３Ｄは、アンテナ回路１１３と同じ構成（アンテナコイル１２１、キャパシタ１２２，１２３）に加えて、キャパシタ１３９とスイッチ１４０を有する。
キャパシタ１２３，１３９およびスイッチ１４０を含む回路ブロックは、本発明の可変キャパシタの一実施形態である。
【００８８】
キャパシタ１３９およびスイッチ１４０は直列に接続されており、この直列回路がキャパシタ１２３と並列に接続される。
【００８９】
スイッチ１４０は、判定信号Ｓ１に応じてオン・オフする。例えば判定信号Ｓ１がハイレベルのときにオフし、ローレベルのときにオンする。
【００９０】
図１０に示す送受信部１０１Ｄによれば、異常判定回路１１４の判定結果に応じてアンテナ回路１１３Ｄの共振周波数が変化する。
例えば、スイッチ１４０がオフのときにアンテナ回路１１３Ｃの共振周波数が最適な値となるようにアンテナコイル１２１、キャパシタ１２２，１２３の素子値が設定されているものとする。この場合、異常判定回路１１４においてアンテナ回路１１３Ｄの電圧が異常に高いと判定されてスイッチ１４０がオンすると、キャパシタＣ１２３にキャパシタＣ１３９が並列接続されるため、共振周波数が最適値から外れて、アンテナ回路１１３Ｄに発生する交流電圧の振幅が小さくなる。
【００９１】
図１１は、本実施形態に係る携帯端末における送受信部の第３の構成例を示す図である。
図１１に示す送受信部１０１Ｅは、図９に示す送受信部１０１Ｃにおけるアンテナ回路１１３Ｃをアンテナ回路１１３Ｅに置き換えたものであり、他の構成については送受信部１０１Ｃと同じである。
【００９２】
アンテナ回路１１３Ｅは、アンテナ回路１１３と同じ構成（アンテナコイル１２１、キャパシタ１２２，１２３）に加えて、抵抗１４１とスイッチ１４２を有する。
抵抗１４１およびスイッチ１４２を含む回路ブロックは、本発明の可変抵抗の一実施形態である。
【００９３】
抵抗１４１およびスイッチ１４２は並列に接続されており、この並列回路がアンテナコイル１２１とノードＮ１とを接続する配線に挿入されている。
【００９４】
スイッチ１４２は、判定信号Ｓ１に応じてオン・オフする。例えば判定信号Ｓ１がハイレベルのときにオンし、ローレベルのときにオフする。
【００９５】
図１１に示す送受信部１０１Ｅによれば、異常判定回路１１４の判定結果に応じてアンテナ回路１１３Ｅの共振のクオリティ・ファクタ（Ｑ値）が変化する。
すなわち、異常判定回路１１４においてアンテナ回路１１３Ｅの電圧が正常と判定される場合、スイッチ１４２がオンになって抵抗１４１の損失が発生しないため、Ｑ値は高くなる。一方、異常判定回路１１４においてアンテナ回路１１３Ｅの電圧が異常に高いと判定されてスイッチ１４２がオフすると、抵抗１４１の損失によってＱ値が低くなり、アンテナ回路１１３Ｅに発生する交流電圧の振幅が小さくなる。
【００９６】
以上のように、本実施形態によれば、リーダライタとして送信を行っているとき、アンテナ回路に異常に高い電圧が生じると、アンテナ回路に生じる電圧が小さくなるようにアンテナ回路のインピーダンス特性（共振周波数、クオリティ・ファクタなど）が変化し、アンテナ回路の電圧を正常な範囲に戻すことができる。
従って、本実施形態においても、クランプ回路１１９を異常な高電圧で動作させずに済むため、回路の面積の増大を抑制することができる。
耐電圧の高い特殊な製造プロセスによってリーダライタ用の回路を形成する必要がないため、設計時間やコストを抑制できる。
また、異常電圧を抑制するためにアンテナ回路の性能を劣化させる方法に比べて、通常の使用状態における通信性能を良好に保つことができる。
【００９７】
更に、本実施形態によれば、アンテナ回路のインピーダンス特性を変化させることによって外部のリーダライタから供給される送信電力も低減できるため、特に外部のリーダライタの送信出力が大きい場合でも、アンテナ回路の異常な高電圧を効果的に低減できる。
また、リーダライタとして送信を行っているときに限らず、非接触ＩＣカードとして受信を行っている場合においても、アンテナ回路の異常な高電圧を効果的に低減できる。
【００９８】
＜第５の実施形態＞
次に、本発明の第５の実施形態について説明する。本実施形態に係る携帯端末では、送信回路からアンテナ回路へ送信電力を伝送する経路に設けられた可変抵抗の抵抗値を変化させることにより、アンテナ回路の異常電圧を抑制する。
【００９９】
図１２は、本実施形態に係る携帯端末における送受信部の第１の構成例を示す図である。本実施形態に係る携帯端末の送受信部以外の構成については、第１の実施形態と同じである。
【０１００】
図１２に示す送受信部１０１Ｆは、受信回路１１１と、アンテナ回路１１３と、送信回路１１２Ｂと、異常判定回路１１４と、抵抗１４３と、スイッチ１４４とを有する。
このうち、受信回路１１１、送信回路１１２Ｂ、アンテナ回路１１３、異常判定回路１１４については、図４，図８における同一符号の構成要素と同じである。
【０１０１】
抵抗１４３は、送信回路１１２Ｂからアンテナ回路１１３へ送信電力を伝送する配線に挿入される。図１２の例では、送信回路１１２Ｂの端子Ｏ１とキャパシタ１２３とを接続する配線に挿入される。
【０１０２】
スイッチ１４２は、抵抗１４３と並列に接続されており、判定信号Ｓ１に応じてオン・オフする。例えば判定信号Ｓ１がハイレベルのときにオンし、ローレベルのときにオフする。
【０１０３】
本実施形態によれば、アンテナ回路１１３の電圧が正常範囲にある場合、スイッチ１４４がオンするため、送信回路１１２Ｂから出力される信号は抵抗１４３を介さずにアンテナ回路１１３に供給される。一方、アンテナ回路１１３に異常に高い電圧が生じると、スイッチ１４４がオフするため、送信回路１１２Ｂから出力される信号は抵抗１４３を介してアンテナ回路１１３に供給される。この場合、送信回路１１２Ｂの出力インピーダンスが大きくなる場合と同様に、送信回路１１２Ｂからアンテナ回路１１３へ供給される送信電力が低減するため、アンテナ回路１１３の電圧を低下させ、正常な範囲に戻すことができる。
従って、本実施形態においても、クランプ回路１１９を異常な高電圧で動作させずに済むため、回路の面積の増大を抑制することができる。
耐電圧の高い特殊な製造プロセスによってリーダライタ用の回路を形成する必要がないため、設計時間やコストを抑制できる。
また、異常電圧を抑制するためにアンテナ回路１１３の性能を劣化させる方法に比べて、通常の使用状態における通信性能を良好に保つことができる。
【０１０４】
以上、本発明の幾つかの実施形態について説明したが、本発明は上記の形態に限定されるものではなく、種々のバリエーションを含んでいる。
【０１０５】
図６の例に示す異常判定回路１１４では、比較回路１２６によってアンテナ回路１１３の電圧がしきい値を超えたかを判定しているが、この比較回路は、一般的なコンパレータの他、例えば所定のしきい値で論理反転するインバータ回路等の論理回路や、演算増幅器、差動増幅器、一段または複数段のトランジスタによる増幅器など、様々な回路によって実現可能である。また、抵抗１２４，１２５など、上述の各実施形態において使用される抵抗は、トランジスタによって構成した抵抗でも良い。
【０１０６】
上述した実施形態では、アンテナ回路に発生する電圧が所定のしきい値より高くなることを判定し、この判定結果に応じて送信回路からアンテナ回路に供給される送信電力を低減させているが、本発明はこれに限定されない。例えば、異常判定回路１１４において、アンテナ回路に流れる電流が所定のしきい値より大きくなることを判定し、この判定結果に応じて送信回路からアンテナ回路に供給される送信電力を低減させても良い。
また、アンテナ回路に発生する電圧が所定のしきい値より高くなること判定する回路と、アンテナ回路に流れる電流が所定のしきい値より大きくなることを判定する回路とをそれぞれ設けて、一方もしくは両方がしきい値より高いと判定した場合に、送信回路からアンテナ回路に供給される送信電力を低減させても良い。
【０１０７】
第４の実施形態では、スイッチとキャパシタを組み合わせた回路によって、アンテナコイル１２１に並列接続される可変キャパシタや、アンテナコイルに直列接続される可変キャパシタを実現しているが、本発明はこれに限定されない。例えば、ｐｎ接合の容量などを電気信号に応じて変化させることが可能な可変容量素子を用いて可変キャパシタを実現しても良い。
また、可変キャパシタを構成するスイッチとキャパシタの組み合わせは、上述した実施形態の例に限定されない。すなわち、１つまたは電気的に接続された複数のキャパシタによってキャパシタ回路を構成し、キャパシタ回路に含まれる少なくとも１つのキャパシタと並列または直列にスイッチを接続することによって、スイッチのオン・オフに応じて静電容量が変化する可変キャパシタを実現可能である。
【０１０８】
第４および第５の実施形態では、スイッチと抵抗を組み合わせた回路によって可変抵抗を実現しているが、本発明はこれに限定されない。例えば、トランジスタ等の可変インピーダンス素子を用いて可変抵抗を実現しても良い。
また、可変抵抗を構成するスイッチと抵抗の組み合わせは、上述した実施形態の例に限定されない。すなわち、１つまたは電気的に接続された複数の抵抗によって抵抗回路を構成し、抵抗回路に含まれる少なくとも１つの抵抗と並列または直列にスイッチを接続することによって、スイッチのオン・オフに応じて抵抗値が変化する可変抵抗を実現可能である。
【０１０９】
図１１の例では、アンテナコイル１２１に直列に可変抵抗（１４１，１４２）を接続し、この可変抵抗の抵抗値を異常判定回路１１４の判定結果に応じて変化させているが、本発明はこれに限定されない。例えば、キャパシタ１２２や１２３に直列に可変抵抗を設けても良いし、アンテナコイル１２１、キャパシタ１２２，１２３に並列に可変抵抗を設けても良い。その何れの場合でも、可変抵抗の抵抗値を異常判定回路１１４の判定結果に応じて変化させることによって、アンテナ回路のＱ値を変化させて、送信回路からアンテナ回路へ供給される送信電力を低減させることが可能である。
【０１１０】
第５の実施形態では、アンテナ回路と受信回路との間の信号伝送に可変抵抗を設けているが、本発明はこれに限定されない。例えば、アンテナ回路と受信回路との間の信号伝送経路（例えばノードＮ１と整流回路１１５との間）に可変抵抗を設けて、この抵抗値を異常判定回路１１４の判定結果に応じて変化させても良い。
【０１１１】
第４、第５の実施形態において送受信部に使用されるスイッチは、例えばトランジスタ等の半導体スイッチによって実現しても良いし、機械式のスイッチによって実現しても良い。機械式のスイッチとしては、例えばＭＥＭＳ（micro electro mechanical systems）技術により半導体基板上に形成された微小な機械スイッチを用いても良い。
ＭＥＭＳのスイッチを使用することにより、半導体スイッチを用いる場合に比べて耐電圧を高くすることができる。また、信号の周波数が高い場合でも、高い絶縁インピーダンスを保つことができるため、スイッチを設けることによる通信性能の劣化を抑えることができる。
【０１１２】
図５や図７に示す送信回路では、非接触ＩＣカードとして携帯端末が機能する場合において出力端子Ｏ１およびＯ２を共通の電位（ローレベル）に固定しているが、これに限らず、例えば出力端子Ｏ１およびＯ２を共に高インピーダンス状態にしても良い。
【図面の簡単な説明】
【０１１３】
【図１】本発明の実施形態に係る携帯端末に搭載された非接触ＩＣカードにデータを読み書きするシステムの一例を図解した図である。
【図２】本発明の実施形態に係る携帯端末１０に搭載されたリーダライタを用いて、携帯端末の外部の非接触ＩＣカードに対する情報の読み取りや書き込みを行うシステムの一例を図解した図である。
【図３】ＩＣカード／リーダライタ部の構成の一例を示す図である。
【図４】第１の実施形態に係る送受信部の構成の一例を示す図である。
【図５】第１の実施形態に係る携帯端末における、送信回路の構成の一例を示す図である。
【図６】異常判定回路の構成の一例を示す図である。
【図７】第２の実施形態に係る携帯端末における、送信回路の構成の一例を示す図である。
【図８】第３の実施形態に係る携帯端末における、送受信部の構成の一例を示す図である。
【図９】第４の実施形態に係る携帯端末における、送受信部の第１の構成例を示す図である。
【図１０】第４の実施形態に係る携帯端末における、送受信部の第２の構成例を示す図である。
【図１１】第４の実施形態に係る携帯端末における、送受信部の第３の構成例を示す図である。
【図１２】第５の実施形態に係る携帯端末における、送受信部の構成の一例を示す図である。
【符号の説明】
【０１１４】
１０…携帯端末、２０…外部のリーダライタ、３０，７０…通信網、４０，８０…サーバ、５０…外部の非接触ＩＣカード、６０…基地局、１００…ＩＣカード／リーダライタ部、１０１，１０１Ｂ，１０１Ｃ，１０１Ｄ，１０１Ｅ，１０１Ｆ…送受信部、１０２…信号処理部、１０３…制御部、１０４…暗号処理部、１０５…誤り検出・訂正処理部１０５、１０６…ＲＡＭ、１０７…ＲＯＭ、１０８…ＥＥＰＲＯＭ、１０９…キャリア信号生成部、１１０…インターフェース部、１１１…受信回路、１１２，１１２Ａ，１１２Ｂ…送信回路、１１３，１１３Ｃ，１１３Ｄ，１１３Ｅ…アンテナ回路、１１４…異常判定回路、１１５…整流回路、１１６…ダイオード、１１７…クロック抽出回路、１１８…復調回路、１１９…クランプ回路、１２０…返信回路、１２１…アンテナコイル、１２２，１２３，１３７，１３９…キャパシタ、１２３，１２５，１４１，１４３…抵抗、１２６…比較回路、１２７〜１３０，１２７Ａ〜１３０Ａ…インバータ回路、１３１〜１３４…ＮＡＮＤ回路、１３５…ＡＮＤ回路、１３６…電源電圧制御部、１３８，１４０，１４２，１４４…スイッチ
【図１】
2006287844.tif 000003
【図２】
2006287844.tif 000004
【図３】
2006287844.tif 000005
【図４】
2006287844.tif 000006
【図５】
2006287844.tif 000007
【図６】
2006287844.tif 000008
【図７】
2006287844.tif 000009
【図８】
2006287844.tif 000010
【図９】
2006287844.tif 000011
【図１０】
2006287844.tif 000012
【図１１】
2006287844.tif 000013
【図１２】
2006287844.tif 000014